(57)【要約】【課題】通信端末からユーザに通知される内容が一定であると、過去に通知された情報と同じ内容の情報しかユーザに通知されていなかった。【解決手段】通信端末３が備える近距離無線通信部３１は、ビーコン信号を受信して、当該ビーコン信号に含まれる識別情報を取得すると共に、ビーコン信号の受信信号強度を測定する。処理部３２は、近距離無線通信部３１がビーコン信号から識別情報を取得する時に、識別情報の取得履歴、及び受信信号強度が、過去の識別情報の取得履歴に対する判定基準と、ビーコン信号の受信信号強度に対する判定基準とを組み合わせた動作条件を満たすか否かを判定する。出力部３４は、判定結果が動作条件を満たす場合に、識別情報に基づく通知を行う。【選択図】図２
2017139548.tif 000002
【特許請求の範囲】
【請求項１】
識別情報をビーコン信号により送信する近距離無線送信装置と、前記ビーコン信号を受信可能な通信端末とを含む通信システムであって、
前記通信端末は、
前記ビーコン信号を受信して、当該ビーコン信号に含まれる識別情報を取得すると共に、前記ビーコン信号の受信信号強度を測定するビーコン信号受信部と、
前記識別情報の取得履歴を記憶する取得履歴記憶部と、
前記識別情報毎に、過去の前記識別情報の取得履歴に対する判定基準と、前記ビーコン信号の前記受信信号強度に対する判定基準とを組み合わせた動作条件を予め記憶する記憶部と、
前記ビーコン信号受信部が前記ビーコン信号から前記識別情報を取得する時に、前記取得履歴及び前記受信信号強度が前記動作条件を満たすか否かを判定する判定部と、
前記判定部による判定結果が前記動作条件を満たす場合に、前記識別情報に基づく通知を行う通知部と、を備える
通信システム。
【請求項２】
前記記憶部は、さらに、前記識別情報に対応する通知情報を予め記憶し、
前記通知部は、前記判定結果が前記動作条件を満たす場合に、前記識別情報に対応する前記通知情報を用いた通知を行う
請求項１に記載の通信システム。
【請求項３】
前記識別情報に対応する通知情報を予め記憶し、前記通信端末とネットワークを介して通信可能なサーバを更に含み、
前記通信端末は、さらに、
前記判定結果が前記動作条件を満たす場合に、前記識別情報を前記サーバに送信して、前記識別情報に対応する前記通知情報の送信を要求するネットワーク通信部を更に備え、
前記通知部は、前記サーバから送信された前記通知情報を用いた通知を行う
請求項１に記載の通信システム。
【請求項４】
識別情報をビーコン信号により送信する近距離無線送信装置と、前記ビーコン信号を受信可能な通信端末と、前記通信端末とネットワークを介して通信可能なサーバとを含む通信システムであって、
前記通信端末は、
前記ビーコン信号を受信して、当該ビーコン信号に含まれる識別情報を取得すると共に、前記ビーコン信号の受信信号強度を測定するビーコン信号受信部と、
前記識別情報及び前記受信信号強度を示す情報を前記サーバに送信するネットワーク通信部と、
前記サーバから送信された判定結果が動作条件を満たす場合に、前記識別情報に基づく通知を行う通知部と、
を備え、
前記サーバは、
前記通信端末から送信される前記識別情報及び前記受信信号強度を示す情報を受信するサーバ側通信部と、
前記通信端末の、前記識別情報の取得履歴を記憶する取得履歴記憶部と、
前記識別情報毎に、過去の識別情報の取得履歴に対する判定基準と、前記ビーコン信号の受信信号強度に対する判定基準とを組み合わせた前記動作条件を予め記憶する記憶部と、
前記識別情報の受信時に、前記識別情報の取得履歴及び前記受信信号強度が前記動作条件を満たすか否かを判定する判定部とを備え、
前記サーバ側通信部は、前記判定部による判定結果を前記通信端末に送信する
通信システム。
【請求項５】
前記記憶部は、さらに、前記識別情報に対応する通知情報を予め記憶し、
前記サーバ側通信部は、前記判定結果が前記動作条件を満たす場合に、前記判定結果及び前記通知情報を前記通信端末に送信し、
前記通知部は、受信した前記通知情報を用いた通知を行う
請求項４に記載の通信システム。
【請求項６】
前記過去の識別情報の取得履歴に対する判定基準は、前記通信端末が、所定の時間内に前記識別情報を所定の回数取得しているか否かに対応する基準である
請求項１から５のいずれか一項に記載の通信システム。
【請求項７】
ビーコン信号を受信して、当該ビーコン信号に含まれる識別情報を取得すると共に、前記ビーコン信号の受信信号強度を測定するビーコン信号受信部と、
前記識別情報の取得履歴を記憶する取得履歴記憶部と、
前記識別情報毎に、過去の識別情報の取得履歴に対する判定基準と、前記ビーコン信号の受信信号強度に対する判定基準とを組み合わせた動作条件を予め記憶する記憶部と、
前記ビーコン信号の受信時に、前記取得履歴及び前記受信信号強度が前記動作条件を満たすか否かを判定する判定部と、
前記判定部による判定結果が前記動作条件を満たす場合に、前記識別情報に基づく通知を行う通知部と、を備える
通信端末。
【請求項８】
前記記憶部は、さらに、前記識別情報に対応する通知情報を予め記憶し、
前記通知部は、前記判定結果が前記動作条件を満たす場合に、前記識別情報に対応する前記通知情報を用いた通知を行う
請求項７に記載の通信端末。
【請求項９】
前記判定結果が前記動作条件を満たす場合に、ネットワークを介してサーバと通信し、前記識別情報に対応する前記通知情報の送信を要求するネットワーク通信部を更に備え、
前記通知部は、前記サーバから送信された前記通知情報を用いた通知を行う
請求項７に記載の通信端末。
【発明の詳細な説明】
【技術分野】
【０００１】
本発明は、通信システム及び通信端末に関する。
【背景技術】
【０００２】
近年、様々な物品又は物品の周辺に配置され、ユーザが持つ通信端末にビーコン信号を送信可能なビーコン装置が提供されている。ビーコン装置からビーコン信号を受信した通信端末は、通信端末にインストールされたアプリケーションプログラムによりビーコン信号から識別情報を取り出し、この識別情報に基づいて画面表示等により所定の情報をユーザに通知することが可能であった。
【０００３】
このようにビーコン装置がビーコン信号を送信し、携帯端末がビーコン信号を受信するための技術として、例えば、特許文献１に開示されたものが知られている。
この特許文献１には、購買者が携帯する購買者側装置が販売店に近づいたことを販売者側装置がビーコン信号により検知して、販売者側装置と購買者側装置との間における通信を開始し、購買者側装置に商品宣伝等を行うデータ通信システムが提案されている。
【先行技術文献】
【特許文献】
【０００４】
【特許文献１】特開２０００−１３４１４７号公報
【発明の概要】
【発明が解決しようとする課題】
【０００５】
ビーコン装置は、所定の信号強度でビーコン信号を送信している。ビーコン装置が送信するビーコン信号の信号強度が一定であれば、通信端末がビーコン信号を受信したときのビーコン信号の受信信号強度（以下、ＲＳＳＩ（Received Signal Strength Indicator）値と記載する。）は、ビーコン装置から通信端末までの距離により変化する。このため、通信端末は、ＲＳＳＩ値を測定し、このＲＳＳＩ値に対して公知の数式モデル等を適用することで、ビーコン信号の発信元であるビーコン装置から通信端末までの大体の距離を推定することが可能であった。
【０００６】
そして、通信端末は、ＲＳＳＩ値から推定したビーコン装置までの距離を動作条件として、ビーコン信号に含まれる識別情報に対応するユーザへの通知等の処理を決定することができる。このため、通信端末を保持するユーザの動作によって、ユーザに通知する情報を異ならせることが検討されてきた。ユーザの動作として、例えば、通信端末を保持するユーザがビーコン装置を起点として特定の距離内に「入る」、「出る」、「居続ける」のいずれかが考えられる。「入る」という動作は、例えば、ユーザが、ビーコン装置から特定の距離内に入り、通信端末がビーコン信号を初めて受信した時に行われたものとする。「出る」という動作は、ユーザがビーコン装置から遠ざかり、通信端末が受信したビーコン信号のＲＳＳＩ値が所定の閾値より低くなって、初めてビーコン信号を受信した時に行われたものとする。「居続ける」という動作は、ユーザが特定の距離内に居続けて、通信端末がビーコン信号を複数回受信した時に行われたものとする。そして、従来の通信端末では、上述したいずれかの動作に応じて、ユーザに異なる通知を行うことが可能であったが、ユーザの動作毎に行われる通知の内容は常に一定であった。
【０００７】
ここで、状態が変化する物品であれば、この状態変化を通信端末からユーザに通知できるようにしたいという要望がある。しかし、従来は、ユーザに情報が通知されるタイミングが異なるだけで、ユーザに通知される情報自体は一定であっため、経時的な物品の状態変化をユーザに通知することはできなかった。
【０００８】
また、特許文献１に開示された販売者側装置は、販売者側装置まで一定の距離内に近づいた全ての購買者側装置に対して同じ商品宣伝を行うものである。このため、通信端末は、販売者側装置に相当するビーコン装置から受信したビーコン信号に基づいて通知される情報は常に同じであった。
【０００９】
本発明はこのような状況に鑑みて成されたものであり、過去に行われた通知とは動作条件を変えてユーザに情報を通知することを目的とする。
【課題を解決するための手段】
【００１０】
本発明に係る通信システムは、識別情報をビーコン信号により送信する近距離無線送信装置と、ビーコン信号を受信可能な通信端末とを含む。
また、本発明に係る通信端末は、ビーコン信号受信部と、受信信号強度測定部と、取得履歴記憶部と、記憶部と、判定部と、通知部と、を備える。
ビーコン信号受信部は、ビーコン信号を受信して、当該ビーコン信号に含まれる識別情報を取得すると共に、ビーコン信号の受信信号強度を測定する。取得履歴記憶部は、識別情報の取得履歴を記憶する。記憶部は、識別情報毎に、過去の識別情報の取得履歴に対する判定基準と、ビーコン信号の受信信号強度に対する判定基準とを組み合わせた動作条件を予め記憶する。判定部は、ビーコン信号受信部がビーコン信号から識別情報を取得する時に、取得履歴及び受信信号強度が動作条件を満たすか否かを判定する。通知部は、判定部による判定結果が動作条件を満たす場合に、識別情報に基づく通知を行う。
【００１１】
また、本発明に係る通信システムは、識別情報をビーコン信号により送信する近距離無線送信装置と、ビーコン信号を受信可能な通信端末と、通信端末とネットワークを介して通信可能なサーバとを含む。
本発明に係る通信端末は、ビーコン信号受信部と、受信信号強度測定部と、ネットワーク通信部と、通知部と、を備える。
ビーコン信号受信部は、ビーコン信号を受信して、当該ビーコン信号に含まれる識別情報を取得すると共に、ビーコン信号の受信信号強度を測定する。ネットワーク通信部は、識別情報及び受信信号強度を示す情報をサーバに送信する。通知部は、サーバから送信された判定結果が動作条件を満たす場合に、識別情報に基づく通知を行う。
サーバは、サーバ側通信部と、取得履歴記憶部と、記憶部と、判定部と、を備える。
サーバ側通信部は、通信端末から送信される識別情報及び受信信号強度を示す情報を受信する。取得履歴記憶部は、通信端末の、識別情報の取得履歴を記憶する。記憶部は、識別情報毎に、過去の識別情報の取得履歴に対する判定基準と、ビーコン信号の受信信号強度に対する判定基準とを組み合わせた動作条件を予め記憶する。判定部は、識別情報の受信時に、識別情報の取得履歴及び受信信号強度が動作条件を満たすか否かを判定する。そして、サーバ側通信部は、判定部による判定結果を通信端末に送信する。
【発明の効果】
【００１２】
本発明によれば、通信端末がビーコン信号を受信するビーコン装置からの距離と、過去の識別情報の取得履歴に応じて、通信端末からユーザに通知される通知情報の内容が変化する。このため、通信端末は、過去に行われた通知とは動作条件を変えて適切な情報をユーザに通知することが可能となる。
上記した以外の課題、構成及び効果は、以下の実施の形態例の説明により明らかにされる。
【図面の簡単な説明】
【００１３】
【図１】本発明の第１の実施の形態例に係るビーコン装置と通信端末の配置例を示す説明図である。
【図２】本発明の第１の実施の形態例に係る通信システムの内部構成例を示すブロック図である。
【図３】本発明の第１の実施の形態例に係る動作条件テーブルの構成例を示す説明図である。
【図４】本発明の第１の実施の形態例に係る取得履歴データベースの構成例を示す説明図である。
【図５】本発明の第１の実施の形態例に係る通知情報データベースの構成例を示す説明図である。
【図６】本発明の第１の実施の形態例に係る第１の通知情報の表示例を示す説明図である。
【図７】本発明の第１の実施の形態例に係る第２の通知情報の表示例を示す説明図である。
【図８】本発明の第１の実施の形態例に係る通信システムを構成する各部の動作例を示すシーケンス図である。
【図９】本発明の第１の実施の形態例に係る通信端末がビーコン信号を受信した時の詳細な処理例を示すフローチャートである。
【図１０】本発明の第２の実施の形態例に係る通信システムの内部構成例を示すブロック図である。
【図１１】本発明の第２の実施の形態例に係る通信システムを構成する各部の動作例を示すシーケンス図である。
【図１２】本発明の第３の実施の形態例に係る通信システムの内部構成例を示すブロック図である。
【図１３】本発明の第３の実施の形態例に係る通信システムを構成する各部の動作例を示すシーケンス図である。
【図１４】本発明の第４の実施の形態例に係る通信システムの内部構成例を示すブロック図である。
【図１５】本発明の第４の実施の形態例に係る通信システムを構成する各部の動作例を示すシーケンス図である。
【発明を実施するための形態】
【００１４】
以下、本発明を実施するための形態例について、添付図面を参照して説明する。本明細書及び図面において、実質的に同一の機能又は構成を有する構成要素については、同一の符号を付することにより重複する説明を省略する。
【００１５】
始めに、ビーコン装置２と通信端末３の配置例について説明する。
図１は、ビーコン装置２と通信端末３の配置例を示す説明図である。
【００１６】
第１の実施の形態例に係る通信システム１は、ビーコン装置２及び通信端末３を備える。
ビーコン装置２は、時間と共に状態が変化する物品１０（例えば、植物ポット、洗濯機）に貼り付けられ、又は近傍に設置されており、通信端末３はユーザが保持しているものとする。
【００１７】
ビーコン装置２は、識別情報が付されたビーコン信号を一定の電波強度により送信する近距離無線送信装置の一例として用いられる。通信端末３は、ビーコン装置２から送信されたビーコン信号を受信し、ビーコン信号のＲＳＳＩ値を測定する通信端末の一例として用いられる。ここで、通信端末３がビーコン装置２から離れるにつれて、ビーコン信号が減衰し、ＲＳＳＩ値は低くなる。このため、通信端末３が受信するビーコン信号のＲＳＳＩ値は、ビーコン装置２から通信端末３までの距離に応じて変わる。
【００１８】
そして、通信端末３は、ビーコン信号のＲＳＳＩ値に応じてビーコン装置２から通信端末３までの距離を計算することが可能である。例えば、ＲＳＳＩ値の閾値を高い順にＡ、Ｂ、Ｃと規定する。例えば、近距離Ｌ１内に通信端末３が存在する場合は、ＲＳＳＩ値が閾値Ａ以上であり、中距離Ｌ２内に通信端末３が存在する場合は、ＲＳＳＩ値が閾値Ａ未満かつ閾値Ｂ以上であり、遠距離Ｌ３内に通信端末３が存在する場合は、ＲＳＳＩ値が閾値Ｂ未満かつ閾値Ｃ以上となる。また、ビーコン信号を受信することができない遠距離Ｌ３を超える場所に通信端末３が存在する場合は、ＲＳＳＩ値が閾値Ｃ未満となる。
【００１９】
このようにビーコン装置２から通信端末３までの距離に応じてビーコン信号のＲＳＳＩ値が異なることを利用して、ビーコン信号に付された識別情報に対し、通信端末３が複数の動作を可能とする動作条件を設けることを検討する。これにより、ある条件下においては、ビーコン装置２から近距離Ｌ１内に存在する通信端末３のみがユーザに何らかの情報を通知し、別の条件下においては、より離れた位置（中距離Ｌ２、遠距離Ｌ３）内に存在する通信端末３がユーザに異なる情報を通知するように、情報の内容を変えることが可能となる。このような通信システム１の具体的な構成例及び動作例について以下に説明する。
【００２０】
［第１の実施の形態例］
まず、本発明の第１の実施の形態例に係る通信システムについて説明する。
図２は、通信システム１の内部構成例を示すブロック図である。
通信システム１は、ビーコン装置２及び通信端末３を備える。ビーコン装置２は、識別情報を含むビーコン信号を近距離無線通信により送信する。通信端末３は、ビーコン信号を受信して、ビーコン信号から識別情報を取得し、この識別情報に対応した通知をユーザに行うことが可能である。
【００２１】
ビーコン装置２は、送信部２１及び記憶部２２を備える。
送信部２１は、ビーコン装置２の周囲にビーコン信号を周期的にブロードキャスト送信する。このビーコン信号には、記憶部２２から取得した識別情報が付されている。送信部２１と、通信端末３の近距離無線通信部３１との間で用いられる通信規格としては、例えば、Ｂｌｕｅｔｏｏｔｈ（登録商標）やＢＬＥ（Bluetooth Low Energy）等の近距離無線通信規格が適している。例えば、ＢＬＥ規格に対応するビーコン装置２の送信部２１は、識別情報を含むアドバタイジングデータをビーコン信号としてビーコン装置２の周囲に送信することができる。
【００２２】
記憶部２２には、識別情報が記憶される。記憶部２２としては、電源供給が遮断されてもデータを消失しない不揮発性メモリが用いられる。ただし、記憶部２２への電源供給が維持されるのであれば、記憶部２２に揮発性メモリを用いてもよい。記憶部２２に記憶される識別情報は、ビーコン装置２を特定するための装置識別情報ではなく、ビーコン装置２が送信する通知情報、又はビーコン装置２がユーザに提供するサービスを特定するために用いられる情報である。このため、一つのビーコン装置２が複数種類の識別情報を送信することがあり、複数のビーコン装置２が共通の識別情報を送信することもある。
【００２３】
通信端末３は、バスによって互いに接続された、近距離無線通信部３１、処理部３２、入力部３３、出力部３４、端末側通信部３５、ＲＳＳＩ値測定部３６及び記憶部３７を備える。通信端末３として、例えば、スマートフォン、タブレット装置等の各種の情報処理装置を用いることができる。
近距離無線通信部３１は、不図示のアンテナを介して、ビーコン装置２の送信部２１から送信されるビーコン信号を受信し、受信したビーコン信号に含まれる識別情報を取得する。
【００２４】
処理部３２は、例えば、低消費電力で駆動可能な中央演算処理装置（ＣＰＵ：Central Processing Unit）によって構成され、記憶部３７から読み出したプログラム、パラメータ等に基づいて、通信端末３内の各部の動作を制御可能である。この処理部３２は、近距離無線通信部３１がビーコン信号から識別情報を取得した際に、識別情報に対応する識別情報の取得履歴の判定基準と、ＲＳＳＩ値の閾値とに該当する動作条件を動作条件テーブル３７ａから選択する。この処理部３２は、識別情報の取得履歴及びＲＳＳＩ値が動作条件テーブル３７ａに規定される動作条件を満たすか否かを判定する判定部の一例として用いられる。その後、処理部３２は、判定した動作条件に対応する通知情報を通知情報データベース（図中では、ＤＢと略記）３７ｃから読出して、出力部３４に通知情報を出力する。
【００２５】
入力部３３は、通信端末３に配された不図示のボタン、スイッチの他に、操作面への画面タッチによって行われた操作入力に従って生成した操作信号を処理部３２に出力する。
出力部３４は、例えば、テキスト、画像等よりなる画面を表示面に表示出力する。この出力部３４は、処理部３２による判定結果が動作条件を満たす場合に、ユーザに対して識別情報に基づく通知を行う通知部の一例として用いられる。なお、通信端末３では、入力部３３と出力部３４は、操作面と表示面とを重ねたタッチパネルディスプレイとして構成されている。
【００２６】
端末側通信部３５は、無線ＬＡＮ（Local Area Network）等のネットワークを通じて、不図示のサーバに接続し、このサーバとの間で各種のデータを送受信することが可能である。
ＲＳＳＩ値測定部３６は、近距離無線通信部３１が受信するビーコン信号のＲＳＳＩ値を測定し、測定したＲＳＳＩ値を処理部３２に供給する。ＲＳＳＩ値測定部３６と、上述した近距離無線通信部３１とは、合わせてビーコン信号受信部の一例として用いられる。
【００２７】
記憶部３７は、例えば、ＲＯＭ（Read Only Memory）、ＲＡＭ（Random Access Memory）等として用いられる記憶媒体、メモリカードによって構成されている。記憶部３７には、通信端末３の各部を制御するためのプログラム、パラメータ等が記憶される。そして、記憶部３７は、動作条件テーブル３７ａ、取得履歴データベース３７ｂ及び通知情報データベース３７ｃを備える。
【００２８】
動作条件テーブル３７ａには、過去の識別情報の取得履歴に対する判定基準と、ビーコン信号のＲＳＳＩ値に対する判定基準とを組み合わせた動作条件が予め記憶される。この動作条件は、通信端末３がビーコン装置２から受信するビーコン信号のＲＳＳＩ値、すなわちビーコン装置２から通信端末３までの距離に応じて変わる。この動作条件テーブル３７ａには、ＲＳＳＩ値測定部３６が測定したＲＳＳＩ値により、処理部３２が厳密に求めた距離の値に基づいて、細分化した動作条件が設定されていてもよい。
【００２９】
取得履歴データベース３７ｂは、通信端末３の近距離無線通信部３１がビーコン信号から識別情報を取得した日時を識別情報の取得履歴として記憶する取得履歴記憶部の一例として用いられる。なお、識別情報の取得日時は、ビーコン信号の受信日時として置き換えてもよい。
【００３０】
通知情報データベース３７ｃには、識別情報に対応する通知情報が予め記憶される。出力部３４が行う識別情報に基づく通知は、通知情報データベース３７ｃに記憶される通知情報を用いて行われる。この通知情報の内容は、後述する図６、図７に示す出力イメージ、不図示のメッセージ、音声等である。
【００３１】
次に、記憶部３７に格納される動作条件テーブル３７ａ、取得履歴データベース３７ｂ及び通知情報データベース３７ｃの構成例について、図３〜図５を参照して説明する。
【００３２】
図３は、動作条件テーブル３７ａの構成例を示す説明図である
動作条件テーブル３７ａは、識別情報、動作条件の各フィールドによって構成される。
識別情報フィールドには、識別情報が格納される。
動作条件フィールドは、取得履歴の判定基準、ＲＳＳＩ値の閾値の各フィールドによって構成される。
取得履歴の判定基準フィールドには、取得履歴データベース３７ｂに格納される識別情報の取得履歴の判定基準が格納される。判定基準は、識別情報毎に設定されており、通信端末３が、過去の所定期間内に識別情報を所定の回数にわたって取得しているか否かに応じて動作条件が変わる。
ＲＳＳＩ値の閾値フィールドには、取得履歴の判定基準フィールドに対応する、ＲＳＳＩ値の閾値が、ビーコン装置２から通信端末３までの距離に読み替えて格納される。このため、ＲＳＳＩ値の閾値自体をＲＳＳＩ値の閾値フィールドに格納してもよい。
【００３３】
図４は、取得履歴データベース３７ｂの構成例を示す。
取得履歴データベース３７ｂは、識別情報、取得日時の各フィールドによって構成される。
識別情報フィールドには、近距離無線通信部３１がビーコン信号から取得した識別情報が格納される。
取得日時フィールドには、近距離無線通信部３１がビーコン信号を受信して、識別情報を取得した日時が格納される。
【００３４】
図５は、通知情報データベース３７ｃの構成例を示す説明図である。
通知情報データベース３７ｃは、識別情報、通知情報の各フィールドによって構成される。
識別情報フィールドには、識別情報が格納される。
通知情報フィールドには、通信端末３がユーザに通知する情報の内容が格納される。通知情報には、例えば、植物の発育状況通知、洗濯機の動作通知等がある。
【００３５】
図６は、第１の通知情報の表示例を示す説明図である。
この例では、物品１０をケース又はプランターに設けられる植物ポットとしており、ビーコン装置２は、ケース又はプランターに設置されているものとする。第１の通知情報は、植物の発育状況についてユーザに定期的（毎日、毎週、毎月）に通知される情報であり、通信端末３の出力部３４における通知情報表示エリア３４ａに表示される。この通知情報表示エリア３４ａには、植物の成長状態をユーザに通知するイメージ図とメッセージが表示される。
【００３６】
図６Ａに示す通知情報表示エリア３４ａには、植物の栽培開始から１ヶ月経過した旨のメッセージと共に、栽培開始から１ヶ月時点における標準的な植物の成長状態を示すイメージ図が表示される。また、図６Ｂに示す通知情報表示エリア３４ａには、植物の栽培開始から２ヶ月経過した旨のメッセージと共に、栽培開始から２ヶ月時点における標準的な植物の成長状態を示すイメージ図が表示される。なお、第１の通知情報は、ユーザに通知される時期によって図６Ａから図６Ｂに示すように変化する。
【００３７】
ここで、図３の動作条件テーブル３７ａ及び図５の通知情報データベース３７ｃを参照して、ユーザに通知される第１の通知情報について説明する。第１の通知情報は、通知情報データベース３７ｃに示されるように、識別情報００１に対応して格納されているとする。動作条件テーブル３７ａには、ユーザの通信端末３がこの識別情報００１を取得した際に第１の通知情報の通知を行うための動作条件が２種類格納されている。
【００３８】
通信端末３の処理部３２は、識別情報００１を取得した際に、動作条件テーブル３７ａと、取得履歴データベース３７ｂとを参照する。
通常時、例えば、所定期間内にユーザに対して第１の通知情報が通知されていた場合には、動作条件となるＲＳＳＩの閾値は、ビーコン装置２から近距離Ｌ１以内の地点におけるものとなり、通信端末３を保持するユーザが植物ポットに設けられたビーコン装置２から近距離Ｌ１まで近づいた時点で、植物の発育状況が通知される。
【００３９】
他方、所定期間内にユーザが植物ポットに設けられたビーコン装置２から近距離Ｌ１に近づいておらず、植物の発育状況を知らせる第１の通知情報が通知されていない場合には、動作条件となるＲＳＳＩの閾値は、ビーコン装置２から遠距離Ｌ３以内の地点におけるものとなる。つまり、ユーザは、本来植物ポットの近距離Ｌ１にまで近づかなければ受けられない通知を、植物ポットから遠距離Ｌ３にいる場合にも受け取ることができるようになる。これにより通信端末３は、ユーザがビーコン装置２に近づいて通知情報を受け取ることを忘れている場合など、通知を受けていないことを検知し、ユーザへ植物の発育状況を確実に通知することが可能となる。
なお、ユーザが第１の通知情報を受け取っていない状況としては、ユーザの通信端末３がビーコン信号を受信していない場合と、ビーコン信号を受信しているものの動作条件を満たしていない場合とが考えられるが、いずれの場合であっても、所定期間内に通知情報を受け取っていない場合にＲＳＳＩの閾値を低減することで、ユーザが通知情報を受け取り易くすることができる。
【００４０】
なお、ケース又はプランターの周囲にカメラを備えておき、カメラが撮影した植物の写真を通知情報表示エリア３４ａに表示してもよい。また、植物を密閉されたケース内で育てるのであれば、ケース内の二酸化炭素濃度を測定するための濃度センサーを設けておき、この濃度センサーの測定結果を通知情報表示エリア３４ａに表示してもよい。
【００４１】
図７は、第２の通知情報の表示例を示す説明図である。この例では、物品１０を洗濯機としている。ビーコン装置２は、洗濯機に設置されているものとする。第２の通知情報は、洗濯機の動作状況に関してユーザに通知される情報であり、通知情報表示エリア３４ａに表示される。通知情報表示エリア３４ａ内には、ユーザが通知された情報の確認完了（洗濯物を取り出したこと）を指示するための完了ボタン３３ａが表示される。
【００４２】
ここで、図３の動作条件テーブル３７ａを参照して、ユーザに通知される第２の通知情報について説明する。第２の通知情報は、通知情報データベース３７ｃに示されるように、識別情報００２に対応して格納されているとする。動作条件テーブル３７ａには、ユーザの通信端末３がこの識別情報００２を取得した際に第２の通知情報の通知を行うための動作条件が３種類格納されている。
【００４３】
洗濯機の動作が完了した後に、ビーコン装置２は、識別情報００２を含むビーコン信号を送信する。
通常時、例えば、洗濯機の動作が完了した直後などであれば、動作条件となるＲＳＳＩの閾値は、ビーコン装置２から中距離Ｌ２以内の地点におけるものとなる。このため、通信端末３を保持するユーザが、洗濯機から近距離Ｌ１又は中距離Ｌ２まで近づいた時点で、通信端末３が洗濯物の取り出しを通知することが可能である。ユーザは通知を確認し、洗濯機から洗濯物を取り出した後、完了ボタン３３ａをタッチすると、以後の通知が行われなくなる。
【００４４】
しかし、ユーザが中距離Ｌ２から遠距離Ｌ３までの範囲にいたため、ビーコン信号を受信していながら、通信端末３がユーザに洗濯機の動作完了を通知していない場合がある。この場合、処理部３２は、通信端末３がビーコン装置２から遠くにいても洗濯機の動作完了を通知可能となるように動作条件となるＲＳＳＩの閾値をビーコン装置２から遠距離Ｌ３までのものに変更する。これにより、通信端末３を保持するユーザが、中距離Ｌ２から遠距離Ｌ３までの範囲にいたとしても、洗濯が終わって一定時間が経過した場合には、通信端末３はユーザに洗濯機の動作完了を通知することができる。
【００４５】
また、ユーザが、複数回にわたって通信端末３が洗濯機の動作完了を通知されたとしても、多忙などの理由により、洗濯物の取り出しを行わない場合も想定される。このような場合に、通信端末３により何度も洗濯機の動作完了が通知されると、ユーザはこの通知を煩わしく感じやすい。そこで、処理部３２は、識別情報の取得時に取得履歴データベース３７ｂを参照し、所定時間内に所定の回数以上ビーコン信号を受信して識別情報を取得したか否かを判定する。
【００４６】
ここで、近距離無線通信部３１がビーコン信号を受信して識別情報を取得すると、処理部３２は出力部３４による通知を必ず行うので、近距離無線通信部３１がビーコン信号を受信して識別情報を取得した回数と、出力部３４による通知回数は等しくなる。このため、例えば、通信端末３が過去３０分以内に５回以上ビーコン信号を受信した後は、中距離Ｌ２から遠距離Ｌ３内に通信端末３が存在しても、通信端末３が通知を行わないようにする。これにより、頻繁に洗濯機の動作完了が通知されることがなくなり、ユーザは通知を煩わしく感じない。その後、ユーザが洗濯機に近づいて、例えば、ビーコン装置２から近距離Ｌ１内に通信端末３が存在するようになってから、改めてユーザに通知を行うようにしてもよい。
【００４７】
なお、通知情報表示エリア３４ａには、優先度（例えば、識別情報の番号順）に従って必要な情報が表示されるようにしてもよい。また、出力部３４をスピーカーにより構成することで、第１又は第２の通知情報の内容を示す音声メッセージを出力してもよい。
【００４８】
図８は、通信システム１を構成する各部の動作例を示すシーケンス図である。
始めに、ビーコン装置２は、識別情報が付されたビーコン信号を送信する（Ｓ１）。ビーコン装置２がビーコン信号を送信する処理は一定周期で繰り返し行われる。
【００４９】
通信端末３は、ビーコン信号を受信し、識別情報を取得すると共に、受信したビーコン信号のＲＳＳＩ値を測定する（Ｓ２）。次に、通信端末３は、取得した識別情報及び識別情報の取得履歴の判定基準から、動作条件となるＲＳＳＩ値の閾値を選択し、測定したＲＳＳＩ値が動作条件を満たすか否かを判定する（Ｓ３）、判定結果が動作条件を満たす場合に、この動作条件に対応する通知情報を取得する（Ｓ４）。そして、通信端末３は、通知情報を出力する（Ｓ５）。ユーザは、通信端末３から出力された通知情報を確認することができる。
【００５０】
図９は、通信端末３がビーコン信号を受信した時の詳細な処理例を示すフローチャートである。
始めに、近距離無線通信部３１は、ビーコン信号を受信すると、このビーコン信号から識別情報を取得する（Ｓ１１）。
【００５１】
次に、処理部３２は、近距離無線通信部３１が取得した識別情報が動作条件テーブル３７ａ内に存在するか否かを判定する（Ｓ１２）。識別情報が動作条件テーブル３７ａ内に存在しなければ（Ｓ１２のＮＯ）、記憶部３７の取得履歴データベース３７ｂに識別情報の取得履歴を記憶し（Ｓ１８）、本処理を終了する。
【００５２】
一方、識別情報が動作条件テーブル３７ａ内に存在すれば（Ｓ１２のＹＥＳ）、ＲＳＳＩ値測定部３６は、ビーコン信号のＲＳＳＩ値を測定し（Ｓ１３）、ビーコン信号のＲＳＳＩ値を処理部３２に供給する。なお、ステップＳ１４におけるＲＳＳＩ値の測定処理は、近距離無線通信部３１が識別情報を取得する動作（Ｓ１１）と同時、またはその前後に行ってもよい。
【００５３】
次に、処理部３２は、動作条件テーブル３７ａを参照し、取得した識別情報、識別情報の取得履歴の判定基準、及びＲＳＳＩ値の閾値に対応する動作条件を選択する（Ｓ１４）。そして、処理部３２は、識別情報の取得履歴及びＲＳＳＩ値が選択した動作条件を満たすか否かを判定する（Ｓ１５）。判定結果が選択した動作条件を満たさない場合（Ｓ１５のＮＯ）、記憶部３７の取得履歴データベース３７ｂに識別情報の取得履歴を記憶し（Ｓ１８）、処理部３２は本処理を終了する。
【００５４】
一方、判定結果が選択した動作条件を満たす場合（Ｓ１５のＹＥＳ）、処理部３２は、取得した識別情報に対応する通知情報を通知情報データベース３７ｃから取得する（Ｓ１６）。そして、処理部３２は、出力部３４より通知情報を出力し（Ｓ１７）、記憶部３７の取得履歴データベース３７ｂに識別情報の取得履歴を記憶した後に（Ｓ１８）、本処理を終了する。
【００５５】
以上説明した第１の実施の形態例に係る通信システム１では、通信端末３がビーコン装置２から受信したビーコン信号の識別情報に基づいて、ユーザに通知情報を出力することができる。このとき、処理部３２は、識別情報、識別情報の取得履歴の判定基準、及びＲＳＳＩ値の閾値に基づいて動作条件を選択し、識別情報の取得履歴及びＲＳＳＩ値が動作条件を満たす場合に通知情報を出力する。このため、通信端末３は、ユーザに対して必要な情報を通知することができる。
【００５６】
［第２の実施の形態例］
次に、本発明の第２の実施の形態例に係る通信システムについて説明する。
図１０は、第２の実施の形態例に係る通信システム１Ａの構成例を示すブロック図である。この通信システム１Ａは、通信端末３が外部の通知情報サーバ４から通知情報を取得するものである。
【００５７】
通信システム１Ａは、上述したビーコン装置２、通信端末３に加えて、通知情報サーバ４を備える。
通信端末３の端末側通信部３５は、移動体通信網やＬＡＮ等からなるネットワークＮを介して通知情報サーバ４と通信可能である。この端末側通信部３５は、処理部３２による判定結果が動作条件を満たす場合に、識別情報を通知情報サーバ４に送信して、識別情報に対応する通知情報の送信を要求するネットワーク通信部の一例として用いられる。
通信端末３の出力部３４は、通知情報サーバ４から送信された通知情報を用いてユーザに通知を行う。
通信端末３の記憶部３７は、動作条件テーブル３７ａ、取得履歴データベース３７ｂだけを備えており、通知情報データベース３７ｃは備えていない。
【００５８】
通知情報サーバ４は、サーバ側通信部４１、処理部４２及びサーバ側記憶部４３を備える。通知情報サーバ４は、識別情報に対応する通知情報を予めサーバ側記憶部４３に記憶し、通信端末３とネットワークＮを介して通信可能である。
【００５９】
サーバ側通信部４１は、通信端末３から識別情報を受信し、識別情報を処理部４２に渡す。また、サーバ側通信部４１は、処理部４２から受け取った識別情報に対応する通知情報を通信端末３に送信する。
処理部４２は、サーバ側通信部４１が受信した識別情報に応じた通知情報をサーバ側記憶部４３の通知情報データベース４３ａから取得する。そして、処理部４２は、識別情報の送信元である通信端末３に対して、サーバ側通信部４１を通じて通知情報を配信する。
【００６０】
サーバ側記憶部４３は、上述した通信端末３の通知情報データベース３７ｃと同様の構成とした通知情報データベース４３ａを備える。通知情報データベース４３ａには、識別情報に対応する通知情報が予め記憶されている。
【００６１】
上述したように通信端末３の記憶部３７は通知情報データベース３７ｃを有していない。このため、通信端末３は、ビーコン信号の受信時に、識別情報の取得履歴及びＲＳＳＩ値に対応する動作条件が満たすか否かを判定し、判定結果が動作条件を満たす場合に、通知情報サーバ４に識別情報を送信する。そして、通知情報サーバ４は、通信端末３から受信した識別情報に対応する通知情報を通信端末３に配信する。通信端末３は通知情報サーバ４から配信された通知情報を受信すると、出力部３４に通知情報を出力する。これによりユーザが通知情報を確認することができる。
【００６２】
図１１は、通信システム１Ａを構成する各部の動作例を示すシーケンス図である。
図１１のステップＳ２１〜Ｓ２３の処理は、上述した図８のステップＳ１〜Ｓ３の処理と同じであるため詳細な説明を省略する。
【００６３】
ステップＳ２３で通信端末３が識別情報の取得履歴及びＲＳＳＩ値に対応する動作条件を選択し、識別情報の取得履歴及びＲＳＳＩ値が動作条件を満たすか否かを判定する。判定結果が動作条件を満たす場合には、通信端末３が通知情報サーバ４に識別情報を送信する（Ｓ２４）。
通知情報サーバ４は、通信端末３から識別情報を受信した後、この識別情報に対応する通知情報を通知情報データベース４３ａから取得する。そして、通知情報サーバ４は、識別情報に対応する通知情報を通信端末３に配信する（Ｓ２５）。
通信端末３は、通知情報サーバ４から受信した通知情報を出力部３４に出力する（Ｓ２６）。
【００６４】
以上説明した第２の実施の形態例に係る通信システム１Ａでは、通知情報サーバ４が通知情報データベース４３ａを備えている。このため、通信端末３は、通知情報サーバ４から識別情報に対応する通知情報を受信し、ユーザに通知情報を通知することが可能である。このように通知情報サーバ４は、通知情報データベース４３ａを備えているため、各通信端末３が通知情報データベース３７ｃを有しているのと比べて、通知情報データベース４３ａを最新の内容に更新するためのメンテナンスを容易に行うことができる。また、通信端末３は、記憶部３７に通知情報データベース３７ｃを備えなくてもよいので、記憶部３７の記憶容量を削減することができる。これにより、通知情報を提供する者が通知の内容を変更したい場合に、各通信端末３の通知情報データベース３７ｃを個別に更新しなくても、通知情報サーバ４にある通知情報データベース４３ａを書き換えるだけで、ユーザによる通信端末３のアップデート作業の必要なく、すべての通信端末３の通知内容を変更できる。
【００６５】
［第３の実施の形態例］
次に、本発明の第３の実施の形態例に係る通信システムについて説明する。
図１２は、第３の実施の形態例に係る通信システム１Ｂの構成例を示すブロック図である。通信システム１Ｂは、通信端末３がビーコン信号から取得した識別情報と、ビーコン信号のＲＳＳＩ値とを通知情報サーバ４に送信し、通知情報サーバ４が動作条件を選択し、識別情報の取得履歴及びＲＳＳＩ値が動作条件を満たすか否かを判定した後、通信端末３に通知情報を配信する。
【００６６】
この通信システム１Ｂでは、第１の実施の形態例において、通信端末３が記憶部３７に記憶されていた各種の情報が外部の通知情報サーバ４に予め記憶される。このため、通信端末３の記憶部３７は、第１の実施の形態例における動作条件テーブル３７ａ、取得履歴データベース３７ｂ及び通知情報データベース３７ｃを備えていない。
通信端末３の端末側通信部３５は、ビーコン信号から取得した識別情報と、ビーコン信号のＲＳＳＩ値とを通知情報サーバ４に送信する処理を、全てのビーコン信号を受信する度に行う。
【００６７】
上述したように通知情報サーバ４は、サーバ側通信部４１、処理部４２、サーバ側記憶部４３を備える。
サーバ側通信部４１は、ネットワークＮを介して通信端末３から識別情報及びＲＳＳＩ値を受信する。そして、サーバ側通信部４１は、処理部４２による判定結果が動作条件を満たす場合に、識別情報の送信元である通信端末３に判定結果及び通知情報を配信する。また、通知情報サーバ４は、通信端末３がビーコン信号から取得した識別情報の取得履歴を取得履歴データベース４３ｃに記憶する制御を行う。
【００６８】
処理部４２は、通信端末３がビーコン信号を受信した時に、通信端末３による識別情報の取得履歴及びＲＳＳＩ値が動作条件を満たすか否かを判定する判定部の一例として用いられる。そして、処理部４２は、動作条件テーブル４３ｂを参照し、サーバ側通信部４１が受信した識別情報及びＲＳＳＩ値に基づいて、動作条件の判定を行う。判定の結果、識別情報の取得履歴及びＲＳＳＩ値が動作条件を満たす場合、処理部５２は、通信端末３から受信した識別情報に対応する通知情報を通知情報データベース４３ａから読み出し、サーバ側通信部４１を通じて通信端末３に通知情報を配信する。
【００６９】
サーバ側記憶部４３は、通知情報データベース４３ａ、動作条件テーブル４３ｂ及び取得履歴データベース４３ｃを備える。通知情報データベース４３ａ、動作条件テーブル４３ｂ及び取得履歴データベース４３ｃは、いずれも通知情報データベース３７ｃ、動作条件テーブル３７ａ及び取得履歴データベース３７ｂと同様の構成としている。
【００７０】
なお、取得履歴データベース４３ｃには、通信端末３の近距離無線通信部３１がビーコン信号から識別情報を取得したときに通信端末３から送信され、通知情報サーバ４が受信した識別情報の取得履歴が格納される。また、処理部４２は、通信端末３に一意に割り振られる端末識別ＩＤに紐付けた識別情報の取得履歴を取得履歴データベース４３ｃに記憶する制御を行うため、通信端末３の識別情報の取得履歴を通信端末３毎に管理することが可能である。
【００７１】
図１３は、通信システム１Ｂを構成する各部の動作例を示すシーケンス図である。
図１３のステップＳ３１，Ｓ３２の処理は、上述した図１１のステップＳ２１，Ｓ２２の処理と同じであるため詳細な説明を省略する。
【００７２】
ステップＳ３２にて通信端末３がビーコン信号から識別情報を取得し、ビーコン信号のＲＳＳＩ値を測定した後、通信端末３の端末側通信部３５は、通知情報サーバ４に識別情報と、ビーコン信号のＲＳＳＩ値を送信する（Ｓ３３）。ステップＳ３１〜Ｓ３３の処理は、一定周期で繰り返し行われる。
【００７３】
ステップＳ３３の後、通知情報サーバ４の処理部４２は、サーバ側通信部４１を通じて通信端末３から受信した識別情報及びＲＳＳＩ値と、取得履歴データベース４３ｃから読出した識別情報の取得履歴に基づいて、動作条件テーブル４３ｂより動作条件を選択し、識別情報の取得履歴及びＲＳＳＩ値が動作条件を満たすか否かを判定する（Ｓ３４）。判定結果が動作条件を満たす場合に、処理部４２は、識別情報に対応する通知情報を通知情報データベース４３ａから取得し、サーバ側通信部４１を通じて判定結果と共に通知情報を通信端末３に配信する（Ｓ３５）。
【００７４】
通信端末３の処理部３２は、端末側通信部３５を通じて通知情報サーバ４から判定結果及び受信した通知情報を処理部３２に渡す。処理部３２は、判定結果が動作条件を満たす場合に、出力部３４に通知情報を出力し（Ｓ３６）、ユーザに対して識別情報に基づく通知を行う。
【００７５】
以上説明した第３の実施の形態例に係る通信システム１Ｂでは、通知情報サーバ４の処理部４２は、サーバ側記憶部４３に備えた動作条件テーブル４３ｂを参照して、通信端末３から受信した識別情報に対応する動作条件を選択し、識別情報の取得履歴及びＲＳＳＩ値が動作条件を満たすか否かを判定する。通信端末３は、通知情報サーバ４に識別情報を送信した後、通知情報サーバ４から識別情報に対応する通知情報が配信されたときに通知を行う。このため、通信端末３は、通知情報サーバ４から通知情報が配信されない場合には通知を行わない。つまり、通信端末３は、ビーコン信号の受信に伴う処理を行う必要がなく、処理部３２の処理負荷を低減することができる。
【００７６】
［第４の実施の形態例］
次に、本発明の第４の実施の形態例に係る通信システムについて説明する。
図１４は、第４の実施の形態例に係る通信システム１Ｃの構成例を示すブロック図である。この通信システム１Ｃでは、通信端末３が記憶部３７に記憶していた情報を外部の２つのサーバが分散して記憶する。
【００７７】
通信システム１Ｃは、上述した第２の実施の形態例に係る通信システム１Ａが備えるビーコン装置２、通信端末３及び通知情報サーバ４に加えて、管理サーバ５を備える。
通信端末３は、記憶部３７に動作条件テーブル３７ａ、取得履歴ＤＢ３７ｂ及び通知情報ＤＢ３７ｃを備えておらず、各種の判定及び情報の取得を通知情報サーバ４と管理サーバ５により行う。
【００７８】
通信端末３の端末側通信部３５は、近距離無線通信部３１がビーコン信号から取得した識別情報と、ＲＳＳＩ値測定部３６が測定したビーコン信号のＲＳＳＩ値とを管理サーバ５に送信する処理を、近距離無線通信部３１がビーコン信号を受信する度に行う。そして、通信端末３は、管理サーバ５に識別情報を送信し、管理サーバ５から受信した判定結果が動作条件を満たす場合には、識別情報を通知情報サーバ４へ送信し、通知情報サーバ４に通知情報の配信を要求する。その後、通信端末３は、通知情報サーバ４から通知情報が配信された場合に、ユーザに通知を行う。
【００７９】
通信システム１Ｃにおける通知情報サーバ４は、通信システム１Ａにおける通知情報サーバ４と同様に、サーバ側記憶部４３に通知情報データベース４３ａだけを備える。この通知情報データベース４３ａには、識別情報と通知情報が関連づけて記憶されている。
【００８０】
管理サーバ５は、サーバ側通信部５１、処理部５２及びサーバ側記憶部５３を備える。管理サーバ５は、ネットワークＮを介して通信端末３と通信可能である。管理サーバ５は、通信端末３が過去にビーコン信号から取得した識別情報の取得履歴を通信端末３毎に記憶している。そして、管理サーバ５は、通信端末３から受信した識別情報及びＲＳＳＩ値と、識別情報の取得履歴に基づいて、動作条件の判定を行い、判定結果を通信端末３に配信する。
【００８１】
サーバ側通信部５１は、通信端末３から識別情報及びＲＳＳＩ値を受信する。また、サーバ側通信部５１は、処理部５２が動作条件テーブル５３ａを参照して判定した判定結果を通信端末３に送信する。
処理部５２は、サーバ側通信部５１が受信した識別情報及びＲＳＳＩ値に応じた判定結果をサーバ側通信部５１に渡す。また、処理部５２は、ＲＳＳＩ値をサーバ側記憶部５３に記憶する。
【００８２】
サーバ側記憶部５３は、動作条件テーブル５３ａ及び取得履歴データベース５３ｂを備える。動作条件テーブル５３ａ、取得履歴データベース５３ｂは、上述した第１の実施の形態例に係る通信端末３の記憶部３７が備える動作条件テーブル３７ａ、取得履歴データベース３７ｂと同様の構成としている。なお、取得履歴データベース５３ｂには、通信端末３に一意に割り振られる端末識別ＩＤに識別情報の取得履歴を紐付けて記憶されている。このため、サーバ側記憶部５３は、識別情報の取得履歴を通信端末３毎に管理することが可能である。
【００８３】
そして、処理部５２は、動作条件テーブル５３ａを参照し、サーバ側通信部５１が受信した識別情報及びＲＳＳＩ値と、識別情報の取得履歴とに基づいて、動作条件の判定を行う。判定の結果、識別情報の取得履歴及びＲＳＳＩ値が動作条件を満たす場合、処理部５２は、サーバ側通信部５１により通信端末３に判定結果を配信する。また、処理部５２は、通信端末３がビーコン信号から取得した識別情報の取得履歴を取得履歴データベース５３ｂに記憶する制御を行う。
【００８４】
通信端末３の処理部３２は、端末側通信部３５を通じて管理サーバ５から判定結果を受信すると、通知情報サーバ４に識別情報を送信する。通知情報サーバ４の処理部４２は、サーバ側通信部４１を通じて通信端末３から受信した識別情報に対応する通知情報を通知情報データベース４３ａから読み出し、識別情報の送信元である通信端末３に通知情報を配信する。そして、通信端末３の処理部３２は、端末側通信部３５を通じて通知情報サーバ４から受信した通知情報を出力部３４に出力する。
【００８５】
図１５は、通信システム１Ｃを構成する各部の動作例を示すシーケンス図である。
図１５のステップＳ４１〜Ｓ４３の処理は、上述した図１３のステップＳ３１〜Ｓ３３の処理と同じであるため詳細な説明を省略する。
【００８６】
ステップＳ４３で通信端末３が管理サーバ５に識別情報と、ビーコン信号のＲＳＳＩ値を送信した後、管理サーバ５の処理部５２は、受信した識別情報と、ビーコン信号のＲＳＳＩ値に基づいて、動作条件テーブル５３ａより動作条件を選択し、識別情報の取得履歴及びＲＳＳＩ値が動作条件を満たすか否かを判定する（Ｓ４４）。判定結果が動作条件を満たす場合に、処理部５２は、サーバ側通信部５１を通じて通信端末３に動作条件の判定結果を送信する（Ｓ４５）。
【００８７】
通信端末３の処理部３２は、管理サーバ５から受信した判定結果が動作条件を満たす場合に、通知情報サーバ４に識別情報を送信する（Ｓ４６）。通知情報サーバ４は、通信端末３から受信した識別情報に対応する通知情報を通知情報データベース４３ａから取得し、識別情報の送信元である通信端末３に通知情報を配信する（Ｓ４７）。
そして、通信端末３は、通知情報サーバ４から受信した通知情報を出力部３４に出力し（Ｓ４８）、ユーザに通知を行う。
【００８８】
以上説明した第４の実施の形態例に係る通信システム１Ｃでは、通知情報サーバ４が通知情報データベース４３ａを備え、管理サーバ５が動作条件テーブル５３ａ、取得履歴データベース５３ｂを備える。ここで、通信端末３がビーコン信号から識別情報を取得した過去の取得履歴は通信端末３毎に特定可能であるため、安全性の高い管理サーバ５に識別情報の取得履歴を格納されることで情報漏洩の危険性を低減している。一方、通知情報は、他のユーザが用いる通信端末３に対しても通知される汎用的な情報であるため、通知情報サーバ４に格納する。このように情報の種類に応じて、サーバに格納する情報を分散させることで通信システム１Ｃ全体の情報漏洩に対する安全性を高めることができる。
【００８９】
また、管理サーバ５は、動作条件テーブル５３ａを参照して動作条件の判定を行い、通知情報サーバ４は、通信端末３に識別情報に対応する通知情報を配信する。このように動作条件の判定と、通知情報の配信を２種類のサーバで行うことにより、１台のサーバだけで処理を行う場合と比べて負荷が低減される。
【００９０】
なお、管理サーバ５、通知情報サーバ４は同一のサーバであってもよい。この場合、上述した第３の実施の形態例に係る通知情報サーバ４と同様の構成となる。
【００９１】
また、本発明は上述した実施の形態例に限られるものではなく、特許請求の範囲に記載した本発明の要旨を逸脱しない限りその他種々の応用例、変形例を取り得ることは勿論である。
例えば、上述した実施の形態例は本発明を分かりやすく説明するために装置及びシステムの構成を詳細かつ具体的に説明したものであり、必ずしも説明した全ての構成を備えるものに限定されない。また、ここで説明した実施の形態例の構成の一部を他の実施の形態例の構成に置き換えることは可能であり、さらにはある実施の形態例の構成に他の実施の形態例の構成を加えることも可能である。また、各実施の形態例の構成の一部について、他の構成の追加、削除、置換をすることも可能である。
また、制御線や情報線は説明上必要と考えられるものを示しており、製品上必ずしも全ての制御線や情報線を示しているとは限らない。実際には殆ど全ての構成が相互に接続されていると考えてもよい。
【符号の説明】
【００９２】
１…通信システム、２…ビーコン装置、３…通信端末、１０…物品、２１…送信部、２２…記憶部、３１…近距離無線通信部、３２…処理部、３３…入力部、３４…出力部、３５…端末側通信部、３６…ＲＳＳＩ値測定部、３７…記憶部、３７ａ…動作条件テーブル、３７ｂ…取得履歴データベース、３７ｃ…通知情報データベース
【図１】
2017139548.tif 000003
【図２】
2017139548.tif 000004
【図３】
2017139548.tif 000005
【図４】
2017139548.tif 000006
【図５】
2017139548.tif 000007
【図６】
2017139548.tif 000008
【図７】
2017139548.tif 000009
【図８】
2017139548.tif 000010
【図９】
2017139548.tif 000011
【図１０】
2017139548.tif 000012
【図１１】
2017139548.tif 000013
【図１２】
2017139548.tif 000014
【図１３】
2017139548.tif 000015
【図１４】
2017139548.tif 000016
【図１５】
2017139548.tif 000017